【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
複数の層を含む転写補助部材であって、これらの層の１つが、ポリマー層上に熱可塑性層を含むチェックフィルム層であり、
前記ポリマー層が、ポリエチレンテレフタレートまたはポリエチレンナフタレートを含む、転写補助部材。
【請求項２】
前記熱可塑性層が、ポリカーボネート、ポリエステル、ポリスルホン、ポリアミド、ポリイミド、ポリアミドイミド、ポリエーテルイミド、ポリオレフィン、ポリスチレン、ポリビニルハライド、ポリビニリデンハライド、ポリフェニルスルフィド、ポリフェニルオキシド、ポリアリールエーテル、ポリエーテルエーテルケトン、およびこれらの混合物からなる群から選択される熱可塑性物質を含む、請求項１に記載の転写補助部材。
【請求項３】
前記熱可塑性層が、Ｒｅｓｉｓｔａｎｃｅ  Ｍｅｔｅｒによる測定で、１×１０７〜９．９９×１０９ｏｈｍの抵抗を有する、請求項１に記載の転写補助部材。
【請求項４】
前記熱可塑性層がさらに、カーボンブラックの伝導性構成成分を含む、請求項１に記載の転写補助部材。
【請求項５】
前記熱可塑性層がさらに、カーボンブラック、グラファイト、シリカ、ポリテトラフルオロエチレン、可塑剤、ポリシロキサンコポリマー、またはこれらの混合物を含む、請求項１に記載の転写補助部材。
【請求項６】
前記ポリマー層が、ポリエチレンテレフタレートまたはポリエチレンナフタレートを含む、請求項１に記載の転写補助部材。
【請求項７】
前記熱可塑性層は、さらに、伝導性構成成分、シリカ、および、可塑剤を含み、
前記伝導性構成成分は、カーボンブラック、グラファイト、金属酸化物、ポリアニリン、ポリチオフェン、ポリピロール、または、これらの混合物であり、
前記熱可塑性層は、ポリカーボネート、ポリエステルまたはこれらの混合物を含む、
請求項１に記載の転写補助部材。
【請求項８】
ジエチルフタレート、ジオクチルフタレート、ジアリルフタレート、ポリプロピレングリコールジベンゾエート、ジ−２−エチルヘキシルフタレート、ジイソノニルフタレート、ジ−２−プロピルへプチルフタレート、ジイソデシルフタレートおよびジー２−エチルヘキシルテレフタレートからなる群から選択される可塑剤をさらに含む、請求項１に記載の転写補助部材。
【請求項９】
前記複数の層が、底部層、中間層、および頂部層の少なくとも３つの別個のポリマー層を含み、該底部層が、前記チェックフィルムのポリマー層と接触し、単一摩耗耐性層が、前記頂部ポリマー層と接触する、請求項１に記載の転写補助部材。
【請求項１０】
前記摩耗耐性層がポリエチレンを含む、請求項９に記載の転写補助部材。
【請求項１１】
ポリエチレンを含む摩耗耐性層をさらに含む、請求項１に記載の転写補助部材。
【請求項１２】
前記摩耗耐性層が、以下の式／構造によって表されるようなポリエチレンを含み、
【化１】
2015036815.tif 000001
（式中、ｎは、１００，０００〜３００，０００の繰り返しセグメントの数を表す）前記複数の層のそれぞれの隣接対の間に位置する接着剤層が存在する、請求項１１に記載の転写補助部材。
【請求項１３】
複数の結合層、ならびにポリアルキレンテレフタレートのポリマー層基材上に含有される部分的に伝導性の熱可塑性層を含む結合チェックフィルム層を含む複合トナー転写補助ブレードであって、
前記複数の層の頂部層が、摩耗耐性層であり、
前記熱可塑性層が、ポリカーボネート、ポリエステル、ポリスルホン、ポリアミド、ポリイミド、ポリアミドイミド、ポリエーテルイミド、ポリエーテルエーテルケトン、ポリアリールエーテル、ポリフェニルオキシド、ポリフェニルスルフィド、およびこれらの混合物からなる群から選択される熱可塑性物質を含み、
前記熱可塑性層が、場合によりさらに伝導性構成成分、シリカ、可塑剤、フルオロポリマー粒子、ポリシロキサンポリマー、およびこれらの混合物を含み、
前記フルオロポリマー粒子は、テトラフルオロエチレンポリマー、トリフルオロクロロエチレンポリマー、ヘキサフルオロプロピレンポリマー、ビニルフルオライドポリマー、ビニリデンフルオライドポリマー、ジフルオロジクロロエチレンポリマーまたはコポリマーである、転写補助ブレード。
【請求項１４】
前記複数の層が、前記チェックフィルム層および前記摩耗耐性層と接触する３つのポリマー層を含む、請求項１３に記載の転写補助ブレード。
【請求項１５】
前記摩耗耐性層が、以下の式／構造によって表されるようなポリエチレンを含み、
【化２】
2015036815.tif 000002
（式中、ｎは、１００，０００〜３００，０００の繰り返しセグメントの数を表す）、
前記摩耗耐性層と前記チェックフィルム層との間に位置する接着剤層が存在する、
請求項１３に記載の転写補助ブレード。
【請求項１６】
前記熱可塑性層が、１×１０７〜１０×１０９ｏｈｍの抵抗を有し、
前記熱可塑性物質が、総固形分に基づいて６５〜１００重量％の量で存在し、
前記熱可塑性層が、０．１〜５０ミクロンの厚みであり、  前記熱可塑性層が前記伝導性構成成分を含む場合、前記伝導性構成成分が総固形分に基づいて３〜３０重量％の量で存在し、
前記熱可塑性層が前記シリカを含む場合、前記シリカが総固形分に基づいて２〜１０重量％の量で存在し、
前記熱可塑性層が前記フルオロポリマー粒子を含む場合、前記フルオロポリマー粒子が総固形分に基づいて２〜１０重量％の量で存在し、
前記熱可塑性層が前記ポリシロキサンポリマーを含む場合、前記ポリシロキサンポリマーが総固形分に基づいて０．０１〜５重量％の量で存在し、
前記摩耗耐性層が、以下の式／構造によって表されるポリエチレンを含む：
【化３】
2015036815.tif 000003
（式中、ｎは、１００，０００〜３００，０００の繰り返しセグメントの数を表す）
請求項１３に記載の転写補助ブレード。
【請求項１７】
コピー基材と、画像形成部材上に位置するトナー現像された画像との間に実質的に均一な接触を与えるための電子写真式プロセスであって、
前記画像形成部材が、複数の接着剤結合層を含むトナー転写可撓性補助ブレードを含み、
前記可撓性補助ブレードが、前記画像形成部材から間隔を空けた非作動位置から、画像形成部材上のコピー基材と接触し、前記画像形成部材に向かう方向においてコピー基材に対して圧力を適用する作動位置まで移動するように適合され、
前記複数の層が、摩耗耐性層、ならびにポリアルキレンテレフタレート、ポリエステル、またはこれらの混合物のポリマー基材上に存在する熱可塑性層を含むチェックフィルム層を含み、
前記熱可塑性層がさらに、伝導性充填剤、シリカ、可塑剤、フルオロポリマー、ポリシロキサン、およびこれらの混合物の少なくとも１つを含み、
前記複数の層が、前記チェックフィルム層と前記摩耗耐性層との間に位置する３つのポリエステル層を含み、
前記熱可塑性層が、ポリカーボネート、ポリエステル、およびこれらの混合物である熱可塑性物質を含む、
前記摩耗耐性層が、以下の式／構造によって表されるポリエチレンを含み：
【化４】
2015036815.tif 000004
（式中、ｎは、１００，０００〜３００，０００の繰り返しセグメントの数を表す）
前記トナー現像された画像の９５〜１００％は、紙を含むコピー基材に転写され、
前記熱可塑性層が、Ｒｅｓｉｓｔａｎｃｅ  Ｍｅｔｅｒによる測定で、１×１０７〜１０×１０９ｏｈｍの抵抗率を有する、電子写真式プロセス。
【手続補正２】
【補正対象書類名】明細書
【補正対象項目名】発明の名称
【補正方法】変更
【補正の内容】
【発明の名称】転写補助部材、転写補助ブレードおよび電子写真式プロセス